(57)【要約】      （修正有）【課題】防水パンとの間に支持台を入れるためにドラム式洗濯機を持ち上げる作業を簡単且つ安全に可能とする。【解決手段】リフト装置１０は、集合住宅等の洗濯機収納場所に設置されたドラム式洗濯機４０をリフトする。リフト装置１０は台車１２上にガイドフレーム１４を起立し、ガイドフレーム１４にホールドユニットを昇降自在に片持ち状態で支持し、ホールドユニットはドラム式洗濯機を側面から挟み付けて保持する開閉自在な一対の押えプレート７２を備えている。ホールドユニットはガイドフレーム１４のスライダ１６に連結され、油圧アクチュエータによりスライダ１６を昇降駆動する。【選択図】図１８
0003140657.tif 000002
【実用新案登録請求の範囲】
【請求項１】
集合住宅等の洗濯機収納場所に設置されたドラム式洗濯機等の機器をリフトするリフト装置に於いて、
台車と、
前記台車上に起立されたガイドフレームと、
前記ガイドフレームに昇降自在に片持ち状態で支持され、前記ドラム式洗濯機を側面から挟み付けて保持する開閉自在な一対の押えプレートを備えたホールドユニットと、
前記ガイドフレームに装着され、前記ホールドユニットを昇降駆動する油圧アクチュエータと、
を備えたことを特徴とするリフト装置。
【請求項２】
請求項１記載のリフト装置に於いて、前記ホールドユニットは、
前記ガイドフレームに沿って前記油圧アクチュエータにより昇降駆動されるユニット本体と、
前記ユニット本体に横方向に摺動自在に配置され、一端に前記押えプレートの一方を固定した第１ラック軸と、
前記第１ラック軸のギアに相対して所定間隔を介して前記ユニット本体に横方向に摺動自在に配置され、他端に前記押えプレートの他方を固定した第２ラック軸と、
前記第１ラック軸と第２ラック軸の間に噛みあい配置され、ギア回転により前記第１ラック軸と第２ラック軸を相互に反対方向に直線移動させるピニオンギアと、
クランクハンドルの回転操作を前記ピニオンギアに伝達するギアトレインと、
前記ギアトレインの所定位置に設けられ、前記ピニオンギアを前記第１ラック軸と第２ラック軸を内側に移動させる方向に回転した際のギアの戻りをロックするラチェットギア機構と、
レバー操作により前記ラチェットギア機構のロックを解除するロック解除機構と、
を備えたことを特徴とするリフト装置。
【請求項３】
請求項１記載のリフト装置に於いて、前記押えプレートは押え面に滑り止め部材を配置したことを特徴とするリフト装置。
【請求項４】
請求項１記載のリフト装置に於いて、前記油圧アクチュエータは、足踏みハンドルの操作により発生した油圧により前記ホールドユニットを上昇駆動すると共に油圧開放バルブの操作により前記ホールドユニットを下降駆動することを特徴とするリフト装置。
【考案の詳細な説明】
【技術分野】
【０００１】
本考案は、ドラム式洗濯機の収納区画に設置された防水パンと洗濯機の間にスペーサーブロックを入れるためにドラム式洗濯機をリフトするリフト装置に関する。
【背景技術】
【０００２】
近年、乾燥機としての機能を一体に備えたドラム式洗濯機が急速に普及している、ドラム式洗濯機は旧来の上蓋構造の洗濯機に比べて家具的な色彩が強く、そのためマンション等の集合住宅にあっては、台所などの設置場所に比較的狭く区画した洗濯機収納スペースを構築し、その中に防水パンを設置してその上にドラム式洗濯機を家具的に配置して使用できるようにしている。
【０００３】
ところで、マンション等の集合住宅にあっては年一回というように、住戸毎に設置されている配水管の洗浄作業が定期的に行われており、ドラム式洗濯機の設置場所についても洗濯機を載せている防水パンに設けられた排水口から洗浄ホースを入れて排水管洗浄作業を行うことになる。
【特許文献１】特開２００４−３５８２１４号公報
【特許文献２】特開平９−２２７０８７号公報
【考案の開示】
【考案が解決しようとする課題】
【０００４】
このようなマンション等の集合住宅におけるドラム式洗濯機の設置状況にあっては、区画された狭い洗濯機収納スペースに設置された防水パンの上にドラム式洗濯機が設置されており、洗濯機と防水パンの間には排水管洗浄に使用するホースを差込むに充分なスペースは確保されておらず、作業の際にドラム式洗濯機を移動しなければならない。
【０００５】
この問題を解消するためには、ドラム式洗濯機と防水パンとの間に、隙間を確保するスペーサーブロック等の支持台を配置すればよいが、ドラム式洗濯機は乾燥機を一体化していることから洗濯機自体の重量が８０Ｋｇ〜１００Ｋｇと重く、その収納スペースの幅も狭いため、支持台を入れるために洗濯機を防水パンから持ち上げる作業は人手によらざるを得ないことから大変であり、支持台の据付作業に多大な手間と労力を必要とし、更に、無理をしてドラム式洗濯機を移動させたことに伴い、洗濯機を戻した後に、漏水や故障などの不具合も起こしている。
【０００６】
本考案は、防水パンとの間に支持台を入れるためにドラム式洗濯機を持ち上げる作業を簡単且つ安全に可能とするリフト装置を提供することを目的とする。
【課題を解決するための手段】
【０００７】
本考案は、集合住宅等の洗濯機収納場所に設置されたドラム式洗濯機等の機器をリフトするリフト装置であって、
台車と、
台車上に起立されたガイドフレームと、
ガイドフレームに昇降自在に片持ち状態で支持され、ドラム式洗濯機を側面から挟み付けて保持する開閉自在な一対の押えプレートを備えたホールドユニットと、
ガイドフレームに装着され、ホールドユニットを昇降駆動する油圧アクチュエータと、
を備えたことを特徴とする。
【０００８】
ここで、ホールドユニットは、
ガイドフレームに沿って油圧アクチュエータにより昇降駆動されるユニット本体と、
ユニット本体に横方向に摺動自在に配置され、一端に押えプレートの一方を固定した第１ラック軸と、
第１ラック軸のギアに相対して所定間隔を介してユニット本体に横方向に摺動自在に配置され、他端に押えプレートの他方を固定した第２ラック軸と、
第１ラック軸と第２ラック軸の間に噛みあい配置され、ギア回転により第１ラック軸と第２ラック軸を相互に反対方向に直線移動させるピニオンギアと、
クランクハンドルの回転操作をピニオンギアに伝達するギアトレインと、
ギアトレインの所定位置に設けられ、ピニオンギアを前記第１ラック軸と第２ラック軸を内側に移動させる方向に回転した際のギアの戻りをロックするラチェットギア機構と、
レバー操作によりラチェットギア機構のロックを解除するロック解除機構と、
を備える。更に、押えプレートは押え面に滑り止め部材を配置する。
【０００９】
また油圧アクチュエータは、足踏みハンドルの操作により発生した油圧によりホールドユニットを上昇駆動すると共に油圧開放バルブの操作によりホールドユニットを下降駆動する。
【考案の効果】
【００１０】
本考案によれば、ドラム式洗濯機を二枚の押えプレートで挟んでリフトするリフト装置とすることで、洗濯機と壁の間の隙間に、前方から幅を合わせた状態で２枚の押さえプレートを台車の前進で押し込み、この状態でクランクハンドル操作によるピニオンラックギア機構による動きで２枚の押えプリートを内側に移動して洗濯機を両側から押えてホールドし、この状態で油圧アクチュエータの足踏みハンドル操作で油圧を発生してガイドフレームに沿って押えプレートを上昇させることで、防水パンから簡単に持ち上げることができ、特に洗濯機と横壁の隙間が狭い場合であっても、簡単且つ容易にリフトすることができる。
【考案を実施するための最良の形態】
【００１１】
図１は本実施形態によるドラム式洗濯機のリフトに使用するリフト装置の実施形態を示した説明図であり、図２にその正面図、図３に平面図を示している。
【００１２】
図１において、本実施形態のリフト装置１０は、台車１２にガイドフレーム１４を起立しており、ガイドフレーム１４の高さは約１８０ｃｍ程度である。ガイドフレーム１４の前方にはスライダ１６によりフォーク１８が昇降自在に片持ち状態で支持されている。
【００１３】
ガイドフレーム１４の下側には、図２に示すように油圧アクチュエータ２０が設けられており、油圧アクチュエータ２０の上部から取り出したロッド２１をスライダ１６に連結している。油圧アクチュエータ２０はピストンシリンダ機構であり、図１に示す台車１２上の足踏みペダル２２を踏むことで油圧を発生し、油圧アクチュエータ２０のシリンダ室に油圧を供給し、ピストンを押し上げ、これにより、ロッド２１を介してスライダ１６を上昇駆動させることができる。
【００１４】
油圧アクチュエータ２０に対しては下降バルブレバー２４が設けられており、下降バルブレバー２４を手前に引くと、内蔵した下降バルブが開いて、シリンダ室の油圧をタンク側に排出し、これによって油圧アクチュエータ２０のロッド２１をスライダ１６及びフォーク１８の自重により下降駆動させることができる。
【００１５】
ガイドフレーム１４の左側には手押ハンドル２６が取り付けられており、手押ハンドル２６を押すことで台車１２を作業箇所に移動させることができる。
【００１６】
ここで台車１２は、フォーク１８を張り出した前方側の車輪までの距離がＬ１と短く、後ろ側となる台車１２の車輪までの距離Ｌ２を大きくしている。このガイドフレームに対する前方の車輪までの距離Ｌ１を短くすることで、後の説明で明らかにする洗濯機収納場所にリフト装置１０をセットして、フォーク１８を洗濯機収納場所の内部に入れる際に、台車１２が邪魔にならないようにしている。
【００１７】
本実施形態にあっては、支持ポール２８は図２に示すようにガイドフレーム１４の上部２箇所に２本配置されている。
【００１８】
図４は本実施形態でフォーク１８に掛けてドラム式洗濯機を吊り下げるために使用するベルト紐を示している。図４において、ベルト紐３０は引張り力に対し強化された強化繊維で編み上げられた紐部材であり、ベルト紐３０の両端に紐を通すための輪３２，３４を設けている。本実施形態にあっては、図４に示すベルト紐３０を２本使って、ドラム式洗濯機をリフト装置１０のフォーク１８に掛けて吊り上げる。
【００１９】
図４にあっては広めの幅をもつベルト紐３０を示しているが、ベルト紐３０は細めの幅とすることが望ましい。幅を狭くすることで、ドラム式洗濯機を吊り上げたときのベルト紐３０の締まり具合を良くし、確実に吊り上げることができる。必要に応じて適宜の幅とする。またベルト紐に代えて、ロープ紐を用いるようにしても良い。
【００２０】
図５は本実施形態のリフト装置１０によるドラム式洗濯機の吊り下げを行う際の準備状態を示した説明図である。図５において、マンションなどの集合住宅の台所などに設けられた洗濯機収納場所３６には床面に防水パン３８が設けられ、防水パン３８の上にドラム式洗濯機４０が設置されている。ドラム式洗濯機４０は乾燥機を一体に備えているため、通常、８０ｋｇ〜１００ｋｇといった重量である。
【００２１】
本実施形態のリフト装置１０は、ドラム式洗濯機４０を持ち上げ、防水パン３８との間に排水口から排水管に洗浄のために洗浄ホースを差し込むための隙間を形成するため、後の説明で明らかにするスペーサーブロックを入れる作業を行う。
【００２２】
まず図５に示すように、本実施形態のリフト装置１０を洗濯機収納場所３６に移動し、台車１２の前方の車輪を防水パン３８に当たる位置まで押し付ける。また台車１２については、その車輪に設けているロックレバーをロック位置にセットして動かないようにする。また、必要があれば作業員が台車１２に足を当てて押さえ、後方にずれないようにし、更にドラム式洗濯機４０を吊り上げる際にはガイドフレーム１４が倒れないように台車１２に体重を掛け、ガイドフレーム１４を手で支える。
【００２３】
更に、住宅内の洗濯機収納場所３６の床面は強度的に十分でない場合があることから、そのような場合にはリフト装置１０の台車１２の位置に予め補強板を敷き、その上に台車１２を乗せて作業を行う。
【００２４】
図６はドラム式洗濯機４０に２本のベルト紐３０ａ，３０ｂを掛け回してフォーク１８に吊り下げた状態を示している。まずベルト紐３０ａについては、一方の輪３４ａをドラム式洗濯機４０の一方の側面に位置させた状態で他方の輪３２ａを巻き回した後に、輪３４ａを通してフォーク１８に掛ける。
【００２５】
また他方のベルト紐３０ｂについては、輪３４ｂを輪３４ａとは反対側の洗濯機側面に位置させた状態で、輪３２ｂを洗濯機の周りに掛け回した後に輪３４ｂを通してフォーク１８に掛けるようにしている。これによって、それぞれの輪３４ａ，３４ｂに紐を通した状態で、紐の通し部分が洗濯機の両側に位置させ、上部の輪３２ａ，３２ｂがフォーク１８に掛けた状態となる。
【００２６】
このようにしてフォーク１８にベルト紐３０ａ，３０ｂを掛けて吊るしたならば、作業員は手押しハンドル２６を手で押さえて台車１２が後退しないように支えながら、足踏みハンドル２２を繰り返し踏むと、図７に示すように油圧アクチュエータに油圧が供給されて、スライダ１６によりフォーク１８が上昇し、フォーク１８に掛けているベルト紐３０ａ，３０ｂによりドラム式洗濯機４０を吊り下げることができる。
【００２７】
このフォーク１８を上昇駆動させた吊り下げの際に、ベルト紐３０ａ，３０ｂのそれぞれは洗濯機側面の輪を通した部分で上方に引っ張られるために、ドラム式洗濯機４０の周囲を締め付けるように引張られて持ち上げられ、これによって洗濯機が脱落することなく、フォーク１８の上昇駆動で確実に吊り下げることができる。
【００２８】
リフト装置１０によりドラム式洗濯機４０を吊り下げたならば、防水パン３８との間に形成された隙間に、予め準備しているスペーサーブロック４４を四隅に配置し、スペーサーブロック４４の配置が済んだならば、下降バルブレバー２４を手前に引くことでスライダ１６を下降駆動してフォーク１８を下げ、防水パン３８の四隅に設置したスペーサーブロック４４上にドラム式洗濯機４０を乗せる。
【００２９】
スペーサーブロック４４上にドラム式洗濯機４０を乗せたならば、更にフォーク１８を下降させることでベルト紐３０ａ，３０ｂが緩み、ドラム式洗濯機４０から取り外すことでリフト作業を終了することができる。
【００３０】
図８はスペーサーブロックを使用した洗濯機の設置状態を示した説明図であり、図９に平面図を示す。図８及び図９において、マンションなどの集合住宅の台所などには洗濯機収納場所１０が設けられ、洗濯機収納場所３６の床面には防水パン３８が設置されている。防水パン３８の上の隅４箇所には本実施形態のリフト装置を使用してスペーサーブロック４４ａ，４４ｂが配置され、その上にドラム式洗濯機４０を乗せている。
【００３１】
防水パン３８は例えば中央に排水口４５を備えており、排水口４５は排水管４６に接続されており、排水口４５にドラム式洗濯機４０の排水ホースを差し込むことで洗濯排水を排水管４６に排出できるようにしている。なお、排水口の位置は防水パンの種類により様々である。
【００３２】
排水口４５の中には洗濯排水トラップ４８が収納されており、洗濯用水に含まれる塵やごみなどを除去して、排水管４６に流さないようにしている。
【００３３】
洗濯機収納場所３６はドラム式洗濯機４０のサイズに見合ったスペースとして設置されており、ドラム式洗濯機４０を設置した状態で両側及び奥の壁との隙間は人間の手が入る程度の狭い隙間であり、洗濯機収納場所３６に設置した状態でドラム式洗濯機４０が家具的に見栄え良く配置できるようにしている。
【００３４】
本実施形態のスペーサーブロック４４ａ，４４ｂは防水パン３８とドラム式洗濯機４０の間に隙間Ｌを形成しており、隙間Ｌとしては、防水パン３８の排水口４５に収納している洗濯排水トラップ４８を外部に取り出すに十分な隙間としている。
【００３５】
例えば洗濯排水トラップ４８は、その高さが約８０ｍｍ程度であることから、スペーサーブロック４４ａ，４４ｂによる隙間Ｌは例えばＬ＝１１０ｍｍとしており、少なくとも隙間Ｌは１００ｍｍを必要とする。
【００３６】
図１０は防水パンの前方の２箇所に配置するスペーサーブロック４４ａの実施形態を示した説明図である。図１０において、スペーサーブロック４４ａは、ブロック本体５０と、その開口面の一方に装着されたカバー部材５８で構成される。更に、底面側に下部滑止め部材５６を設け、上面側に上部滑止め部材５４を設けている。
【００３７】
図１１は図１０のカバー部材５８を持たない防水パンの後側の２箇所に配置するスペーサーブロック４４ｂの説明図であり、ブロック本体５０は合成樹脂の射出成型により形成された前後に開口した箱型の部材であり、内部に縦壁と横壁を一体に形成した十字支持壁６０を設けており、更に外側面の長手方向には３本の補強リブ５２が一体に形成されている。このブロック本体５０の構造は図１１のスペーサーブロック４４ａも同じである。
【００３８】
ブロック本体２４の下部に取り付けられた下部滑止め部材５６は、底部の接触面に横方向の複数の滑止め溝６４を連通したゴムシート部材である。一方、ブロック本体５０の上部滑止め部材５４は平坦なゴムシート部材である。下部滑止め部材５６及び上部滑止め部材５４は、それぞれ接着剤によりブロック本体５０に接着固定されている。
【００３９】
なおブロック本体５０の中央上部に形成している上部に開口した機器取付溝溝６２は、ブロック本体５０の上部に設置する機器から取り出しているストッパ部材を嵌め入れるための溝であるが、本実施形態にあっては上部滑止め部材５４を設けることで機器取付溝６２は特に使用していない。このためブロック本体５０の構造としては、機器取付溝６２を持たない箱型形状として内側に十字支持壁６０を一体に形成した構造であってもよい。
【００４０】
またブロック本体５０の下部に設けている下部滑止め部材５６としては、奥行方向の滑止め溝を一方の面に持ち、他方の面に横方向の滑止め溝６４を備えた市販の部材を必要寸法に切り出して使用しているが、この場合、横方向の滑止め溝６４を備えた面を底部側とし、図８のように防水パン３８に乗せることで、ドラム式洗濯機４０の使用時の振動によりスペーサーブロック４４ａ，４４ｂが前後に動いてしまうことを抑制するようにしている。
【００４１】
本実施形態のスペーサーブロック４４にあっては、少なくとも圧縮荷重３００ｋｇに耐える構造であることが確認されている。実際には、図９に示すように、防水パン３８の四隅にスペーサーブロック４４ａ，４４ｂを配置してその上にドラム式洗濯機４０を乗せており、ドラム式洗濯機１６の重量を例えば１００ｋｇとした場合、４箇所のスペーサーブロック４４ａ，４４ｂで受ける１個当たりの荷重は、均等配置とした場合、２５ｋｇであり、この実際に加わる荷重２５ｋｇに対し確認された圧縮荷重は少なくとも３００ｋｇであることから、洗濯機を乗せた際の使用時の荷重に対し１２倍の圧縮荷重に対する強度を持ち、充分な耐久性が確保されている。
【００４２】
実際には、スペーサーブロック４４ａ，４４ｂに乗せたドラム式洗濯機４０の静的な荷重以外に、洗濯機を使用する際には洗濯機の動作による振動がスペーサーブロック４４ａ，４４ｂに加わり、瞬時的にスペーサーブロック４４ａ，４４ｂに加わる荷重が静止時の２５ｋｇを超えることになるが、スペーサーブロック４４ａ，４４ｂの耐久荷重は静的に加わる荷重の１２倍もあることから、ドラム式洗濯機４０の使用による振動が加わったとしても、変形することなく確実にドラム式洗濯機４０を支えることができる。
【００４３】
このような本実施形態のスペーサーブロック４４ａ，４４ｂを、ドラム式洗濯機４０を洗濯機収納場所３６に設置する際あるいは既にドラム式洗濯機４０を設置している場合には、排水管４６の洗浄作業の際に本実施形態のリフト装置１０によりドラム式洗濯機４０をリフトしてスペーサーブロック４４ａ，４４ｂを入れることで、その後については防水パン３８とドラム式洗濯機４０の間にスペーサーブロック４４ａ，４４ｂの介在により隙間Ｌを確保することができ、この隙間Ｌは防水パン３８の排水口４５に洗浄ホースを入れて排水管４６の洗浄作業を行うに十分なスペースであり、排水管洗浄作業の際に、従来のようにドラム式洗濯機４０を洗濯機収納場所３８から移動して、洗浄ホースを差し込んで作業後に戻すという煩雑で労力を要する作業を一切不要とすることができる。
【００４４】
また日常的には、防水パン３８とドラム式洗濯機４０の間にスペーサーブロック４４ａ，４４ｂにより隙間Ｌが確保されているため、防水パン３８が汚れたような場合には、防水パン３８を簡単に清掃することができる。
【００４５】
またスペーサーブロック４４ａ，４４ｂの介在による隙間Ｌは、排水口４５に入れている洗濯排水トラップ４８をスペーサーブロック４４ａ，４４ｂの介在で形成した隙間から簡単に取り出せる寸法としており、したがって必要に応じて洗濯排水トラップ４８を取り出して簡単に掃除を行うことができる。
【００４６】
なお、本実施形態で使用するスペーサーブロックは図１０、図１１のものに限定されず、コンクリート製や石製のスペーサブロックを使用しても良い。
【００４７】
図１２は本考案によるリフト装置の他の実施形態を示した説明図であり、図１３に正面図を、また図１４に平面図を示している。この実施形態にあっては、洗濯機を押えプレートにより挟んで持ち上げるようにしたことを特徴とする。
【００４８】
図１２において、この実施形態のリフト装置１０は、基本的な構造は図１の実施形態と同様、台車１２上にガイドフレーム１４を起立し、ガイドフレーム１４にはスライダ１６が昇降自在に設けられ、スライダ１６は図２に示したと同様、ガイドフレーム１４の下側に配置した油圧アクチュエータ２０のロッド２１により昇降自在に設けている。
【００４９】
油圧アクチュエータ２０の上昇駆動は足踏みペダル２２を繰り返し踏むことで行うことができ、一方、下降駆動については下降バルブレバー２４を手前に引いて油圧を抜くことで行うことができる。
【００５０】
ガイドフレーム１４に設けたスライダ１６の下側には別のスライダ１６ａが連結部１７により連結された状態で昇降自在に設けられ、スライダ１６ａに対してはホールドユニット７０が設けられている。
【００５１】
ホールドユニット７０は、図１３に示すように、両側に一対の押えプレート７２，７４を配置しており、押えプレート７２は３本の第１ラック軸７８の左側に固定され、押えプレート７４は第２ラック軸８０の右側に固定されている。また押えプレート７２，７４の内側の面には滑り防止材としてゴムシート７３，７５が設けられている。
【００５２】
第１ラック軸７８と第２ラック軸８０は相対する面にラックギアを形成しており、相対するラックギアの間にピニオンギア８２を配置している。ピニオンギア８２は、図１２に示すクランクハンドル７６を回転させることで回転駆動することができる。
【００５３】
ピニオンギア８２を右回転させると、第１ラック軸７８及び第２ラック軸８０が同時に内側に移動し、押えプレート７２，７４を、幅を狭める方向に同時に駆動できる。ピニオンギア８２を左回転すると、逆に第１ラック軸７８及び第２ラック軸８０が同時に外側に移動して、押えプレート７２，７４を広げる方向に駆動することができる。
【００５４】
図１５は図１３のホールドユニット７０に設けた押えプレート７２，７４の幅を変えるためのギアトレインの一例を示した説明図である。
【００５５】
図１５において、クランクハンドル７６のクランク軸にはベベルギア８４が設けられ、ベベルギア８４は軸８８に固定された中央のベベルギア８６に噛み合っている。軸８８には更に、上下にベベルギア８４，８４が固定されている。
【００５６】
軸８８の３つのベベルギア８６に対してはベベルギア９０が噛み合っており、ベベルギア９０の軸はそれぞれピニオンギア８２に連結されている。ピニオンギア８２のそれぞれには、上側に第１ラック軸７８が噛み合い、下側に第２ラック軸８０が噛み合っている。
【００５７】
このためクランクハンドル７６を回すことで、その回転方向によりピニオンギア８２の回転方向を変え、第１ラック軸７８と第２ラック軸８０を外側に移動させるか内側に移動させるかにより、２枚の押えプレートの幅を広げたり狭めたりすることができる。クランクハンドル７６の軸にはラチェットギア機構９２が設けられている。
【００５８】
図１６は本実施形態のラチェットギア機構９２を取り出して示している。ラチェットギア機構９２はクランクハンドル７６の回転軸に爪ギア９４を固定しており、爪ギア９４に対しロック解除レバー９６に対し軸着したラチェット９５の先端を噛み合わせている。ロック解除レバー９６は軸９８を中心に回動することができ、バネ１００によりラチェット９５を爪ギア９４に噛み込む方向に付勢している。
【００５９】
クランクハンドル７６により、押えプレート７２，７４を狭めて洗濯機を挟む際には、爪ギア９４は矢印で示すように左回りに回動する。この爪ギア９４の左回りの回動に対し、ラチェット９５は爪ギア９４の回転を妨げることなく、爪ギア９４の右回りへの戻りをロックしている。
【００６０】
したがって、爪ギア９４を矢印で示す左方向に回転して２枚の押えプレート７２，７４で洗濯機を押え付けた際に、力を加えて押え付けた位置でラチェット９５により爪ギア９４の戻りが阻止され、押えプレート７２，７４で洗濯機を挟み込み状態で押し付けたホールド状態を保持することができる。
【００６１】
押えプレート７２，７４による洗濯機の押え付けを解除したい場合には、ロック解除レバー９６をバネ１００に抗して右側に回動することで、爪ギア９４からラチェット９５を外して、爪ギア９４の右回りの回転で押えプレート７２，７４を広げることができる。
【００６２】
図１７は図１２の実施形態のリフト装置１０によりドラム式洗濯機４０を持ち上げる作業開始時のセット状態の説明図である。図１７において、洗濯機収納場所３６の防水パン３８上に設置されているドラム式洗濯機４０に対し、ドラム式洗濯機４０と洗濯機収納場所３６の横壁との隙間に合わせて押えプレート７２，７４をクランクハンドル７６の操作で開き、この状態で台車１２を防水パン３８に当たる位置まで進め、押えプレート７２，７４をドラム式洗濯機４０の側面に位置させた状態で車輪をロックして固定する。
【００６３】
ここで図１３に示すように、押えプレート７２，７４の内側の面には滑り防止材としてゴムシート７３，７５が設けられており、ゴムシートを介して押えプレート７２でドラム式洗濯機４０の側面を挟みつけることで確実にホールドする。
【００６４】
またクランクハンドル７６を挟み込み方向に回すと、図１６に示すように、最も力の加わった位置でラチェット９５により爪ギア９４の戻り回転が阻止され、挟み付け荷重を加えた状態でクランクハンドル７６をロックすることができる。
【００６５】
続いて作業者は手押しハンドル２６を手で押さえ、台車１２の車輪のロックを掛けた状態で後ろに下がらないように押えながらペダル２２を繰り返し踏むことで油圧を発生し、油圧アクチュエータにより図１８のようにスライダ１６を上昇駆動し、スライダ１６に装着しているホールドユニット７０によるホールド状態でドラム式洗濯機４０を持ち上げる。
【００６６】
この持ち上げ状態で、防水パン３８の四隅にスペーサーブロック４４ａ，４４ｂを配置し、スペーサーブロック４４ａ，４４ｂを配置したならば、下降バルブレバー２４を操作してドラム式洗濯機４０をゆっくりスペーサーブロック４４ａ，４４ｂ上に下ろす。
【００６７】
スペーサーブロック４４ａ，４４ｂ上にドラム式洗濯機４０を下ろしたならば、図１６に示したロック解除レバー９６の操作でラチェット９５による爪ギア９４のロックを解除した状態で、クランクハンドル７６を挟み付け時とは逆方向に回し、押えプレート７２，７４を開き、押えプレート７２，７４が洗濯機側面から離れたならば、台車１２をゆっくりと洗濯機収納場所３６から引き出すことで一連の作業を終了する。
【００６８】
なお図１の実施形態にあっては、ガイドフレーム１４のスライダ１６に１本のフォーク１８を作業側に張り出して片持ち状態で設けているが、１本のフォーク１８ではなく、２本のフォークであってもよい。
【００６９】
また図１２の実施形態にあっては、図１３に示すように、洗濯機の側面を押えるフラットな押えプレート７２，７４を使用しているが、押えプレート７２，７４の下部に洗濯機の底部のコーナー部を押える屈曲部を設け、この部分で洗濯機底部を支えて、挟み込み状態で持ち上げるようにしてもよい。
【００７０】
また上記の実施形態は足踏みペダルによる手動式の油圧発生による油圧アクチュエータを例に取るものであったが、油圧アクチュエータ以外にネジスクリュー式のアクチュエータであってもよいし、電動式のアクチュエータを用いてもよい。
【００７１】
また、ガイドフレームの上部に、先端を作業場所の壁面に当接した位置で固定されてガイドフレームを支持する支持ポールを設けるようにしても良い。
【００７２】
また上記の実施形態は、ドラム式洗濯機のリフト作業を例にとるものであったが、それ以外の適宜の機器をリフトするようにしても良い。
【００７３】
また本発明はその目的と利点を損なうことのない適宜の変形を含み、更に上記の実施形態に示した数値による限定は受けない。
【図面の簡単な説明】
【００７４】
【図１】本実施形態によるリフト装置を示した説明図
【図２】図１のリフト装置の正面を示した説明図
【図３】図１のリフト装置の平面を示した説明図
【図４】図１の実施形態で使用するベルト紐を示した説明図
【図５】図１のリフト装置を作業のために洗濯機収納場所にセットした状態を示した説明図
【図６】ドラム式洗濯機に吊り下げのためにベルト紐を掛け回した状態を示した説明図
【図７】ドラム式洗濯機を吊り下げてスペーサーブロックを配置する作業を示した説明図
【図８】本考案のスペーサーブロックを使用した洗濯機の設置状態を示した説明図
【図９】防水パンに対する本考案のスペーサーブロックの配置位置を示した説明図
【図１０】本発明によるスペーサーブロックの実施形態を示した説明図
【図１１】カバーを取り外した他の実施形態を示した説明図
【図１２】押えプレートを使用する他の実施形態によるリフト装置を示した説明図
【図１３】図１２のリフト装置の正面を示した説明図
【図１４】図１２のリフト装置の平面を示した説明図
【図１５】図１２のリフト装置に設けたホールドユニットのギアとレインを示した説明図
【図１６】図１５のクランク軸に設けたラチェット機構を示した説明図
【図１７】図１２のリフト装置を作業のために洗濯機収納場所にセットした状態を示した説明図
【図１８】図１７に続いてドラム式洗濯機を持ち上げてスペーサーブロックを配置する作業を示した説明図
【符号の説明】
【００７５】
１０：リフト装置
１２：台車
１４：ガイドフレーム
１６，１６ａ：スライダ
１７：連結部
１８：フォーク
２０：油圧アクチュエータ
２１：ロッド
２２：足踏みペダル
２４：下降バルブレバー
２６：手押ハンドル
３６：洗濯機設置場所
３８：防水パン
４４，４４ａ，４４ｂ：スペーサーブロック
４０：ドラム式洗濯機
４５：排水口
４６：排水管
４８：洗濯排水トラップ
５０：ブロック本体
５８：カバー部材
５６：下部滑止め部材
５４：上部滑止め部材
５２：補強リブ
６０：十字支持壁
６４：滑止め溝
６２：機器取付溝
７０：ホールドユニット
７２，７４：押えプレート
７３，７５：ゴムシート
７６：クランクハンドル
７８：第１ラック軸
８０：第２ラック軸
８２：ピニオンギア
８４，８６，９０：ベベルギア
８８：軸
９２：ラチェットギア機構
９４：爪ギア
９５：ラチェット
９８：軸
１００：バネ
【図１】
0003140657.tif 000003
【図２】
0003140657.tif 000004
【図３】
0003140657.tif 000005
【図４】
0003140657.tif 000006
【図５】
0003140657.tif 000007
【図６】
0003140657.tif 000008
【図７】
0003140657.tif 000009
【図８】
0003140657.tif 000010
【図９】
0003140657.tif 000011
【図１０】
0003140657.tif 000012
【図１１】
0003140657.tif 000013
【図１２】
0003140657.tif 000014
【図１３】
0003140657.tif 000015
【図１４】
0003140657.tif 000016
【図１５】
0003140657.tif 000017
【図１６】
0003140657.tif 000018
【図１７】
0003140657.tif 000019
【図１８】
0003140657.tif 000020